Podtech/llm-jp-corpus-v4-ja_patent huggingface dataset:
(57)【要約】【課題】金封は紙幣を包む機能を備えなければならないため、その素材は折り畳めるものに制限される。従ってそのほとんどは紙であり、その装飾性には限界がある。また初めから装飾性の高い紙を使用すれば紙折に必要な面積を賄うためにコストが高くなる。【解決手段】紙幣を包む機能を確保するために紙折部分は従来通りとするが、工芸的美的なパネルを紙折の前面に貼り合せることによって、紙では表現できなかったデザイン性を求めることが可能である。パネルにすることができるものであれば素材を問わないので、デザインの幅は飛躍的に広がる。尚、装飾性の高い紙を使用する場合でも紙折全体の面積を必要としないため、デザイン性の高い商品を低コストで提供することができる。【特許請求の範囲】
【請求項１】
冠婚葬祭に使用される祝儀袋、不祝儀袋等（以下金封という）において、紙折の前面に工芸的美的なパネルを貼り合せた金封
【発明の詳細な説明】
【技術分野】
【０００１】冠婚葬祭に使用される祝儀袋、不祝儀袋等（以下金封という）において、紙折の前面に工芸的美的なパネルを貼り合せて構成された金封に属する。【０００２】前記パネルは装飾性のある布や編物、和紙や金属あるいはそれらを組み合わせたもので覆った厚紙あるいはボードである。
【背景技術】
【０００４】従来より金封は紙幣を包む機能を備えなければならないため、その素材は折り畳めるものに制限されている。従ってそのほとんどは紙である。
【発明の概要】
【発明が解決しようとする課題】
【０００５】紙に装飾性を持たすためには印刷やエンボス加工があるが、質感や風合いは紙であるため、自ずと限界がある。また初めから装飾性の高い紙を使用すれば紙折に必要な面積を賄うためにコストが高くなる。
【課題を解決するための手段】
【０００６】紙幣を包む機能を確保するために紙折部分は従来通りとするが、工芸的美的なパネルを紙折の前面に貼り合せる。パネルの素材は、布や編物、和紙や金属あるいはそれらを組み合わせたもの等である。
尚、装飾性の高い紙を使用する場合も紙折全体の面積とせず、パネルを構成するだけの面積を確保すれば良い。
【発明の効果】
【０００７】パネルにすることができるものであれば素材を問わないので、従来の紙では表現し得なかった美しい金封を提供することが可能である。
尚、装飾性の高い紙を使用する場合でも紙折全体の面積を必要としないため、デザイン性の高い商品を安価に提供することができる
【図面の簡単な説明】
【０００８】
【図１】
2014148352.tif 000002
【発明を実施するための形態】
【０００９】図１に示すように紙折１の前面に装飾性あるパネル２を貼り合せた金封とした。
【符号の説明】
【００１０】１  紙折
２  装飾性あるパネル
【手続補正書】
【提出日】平成25年3月27日(2013.3.27)
【手続補正１】
【補正対象書類名】明細書
【補正対象項目名】０００８
【補正方法】変更
【補正の内容】
【０００８】
【図１】本発明の実施例を表す斜視図
【手続補正２】
【補正対象書類名】図面
【補正対象項目名】全図
【補正方法】追加
【補正の内容】
【図１】
2014148352.tif 000003
(57)【要約】【課題】紙袋、ラッピングバッグなど使い終わった後に無駄になる事が多い。スーパーなどでのレジ袋のリサイクルは浸透してきたが、それ以外買い物ででるお店による袋は未だに無駄になる事が多い。お店の告知を兼ねている場合など、袋は無駄になるが簡単になくしてしまう事はできない。【解決手段】袋自体に目打ちを入れる事により、袋を様々な形に切り取り出来るようにする。切り取れる形によってそのままハガキ二なる物。メッセージカードになるもの。キャラクターのシールになるもの。切り取った物を組み合わせて箱が作れる物などができる。【選択図】なし【特許請求の範囲】
【請求項１】
ラッピングバッグ、紙袋に目打ちを入れ切り取りやすいようにする。
【請求項２】
切り取った部分が別のものになる。
【発明の詳細な説明】
【技術分野】
【０００１】
本発明は、現在使われているラッピングバッグや、紙袋などに目打ちをして切り取れるようにして、切り取った部分を違う物として使えるようにして物です。
【背景技術】
【０００２】
従来のラッピングバックや紙袋は使用後、袋以外の使い道が特になかった。
【先行技術文献】
【非特許文献】
【０００３】
【非特許文献１】メッセージカードになる包装紙
【発明の概要】
【発明が解決しようとする課題】
【０００４】
ラッピングバック、紙袋が袋として以外の使い道がなく。ゴミになってしまったり、無駄になっている。
【課題を解決するための手段】
【０００５】
従来のラッピングバッグや紙袋に目打ちを入れて簡単に切り取れるようにする。切り取った物がメッセージカードやシール、ポストカード、はがきなどになるデザインにする。
【発明の効果】
【０００６】
袋としてしか使えていなかった物を違う形で利用することが出来る。大量生産されたものでも、メッセージを書くなどしてオリジナルの物にできる。
【発明を実施するための形態】
【０００７】
柄の印刷時に目打ちをつける。
【実施例】
【０００８】
切り取れるサイズを写真や名刺と同じサイズにする。切り取った内側を白紙にしたり、メッセージが書きやすいように無地にする。
プレゼント時にラッピングバックにそのままメッセージを書き込め、貰った人はそのままそれを切り取りカードにしてアルバムにいれたり
はりつけたり出来る。切り取ったものがそのままハガキになる。
【産業上の利用可能性】
【０００９】
プレゼント用の袋、雑貨屋などのショピングバッグに。
(57)【要約】【課題】プレゼント用の包装紙はプレゼントした後は特に使い道もなく、そのままゴミになってしまったり、メモを取る紙になっているなど、特に使い道もなく紙の無駄になってしまっている。【解決手段】包装紙に目打ちを入れる事により包装紙がいろいろな形に切り取れるようにする。切り取った部分がメッセージカードになるようにしておく。カードになる部分はデザインもメッセージが書きやすい無地であったり、線が入っているものにして、プレゼントを渡す人がメッセージを書く事により包装紙に価値を持たせる事が出来る。【選択図】なし【特許請求の範囲】
【請求項１】
包装紙に目打ちをしていろんな形に切り取りができるようにしてある。写真のアルバムに入れれるように写真と同じサイズ、ハート型、丸型、星型、吹き出し型、キャラクター型など。
【請求項２】
包装紙がそのままメッセージカードになるように、きりとった部分にメッセージが書ける用の線をいれる。又はメッセージ無地にする。
【発明の詳細な説明】
【技術分野】
【０００１】
本発明は従来のギフト用の包装紙やラッピングバッグに目打ちをすることにより、いろいろな形に切り取れるようにし、切り取った部分がそのままメッセージカードとして使用できるようにしたものである。
【背景技術】
【０００２】
従来の包装紙にはミシン目の目打ちがある物はなく、包装紙本体にメッセージを書く場所が印刷されているデザインの物もなかった。
【先行技術文献】
【特許文献】
【０００３】
【特許文献１】メッセージ付きラッピングスタンド花
【発明の概要】
【発明が解決しようとする課題】
【０００４】
包装紙は使われた後に使い道がなくそのまま捨ててしまったり、保管しておいてもなかなか使う機会がなく無駄になっている。
包装紙自体に物を包む以外の価値がない。
【課題を解決するための手段】
【０００５】
目打ちをすることにより簡単に切り取りができるようにする。切り取れる部分は無地であったり、線が入っているデザインをすることにより、メッセージが書きやすいようにする。
【発明の効果】
【０００６】
包装紙を捨てる事がなくなり紙のリサイクルにつながる。
【０００７】
包装紙に包装後にも価値を持たせる。
【実施例】
【０００８】
紙の印刷時にパーフォレーターを使い、目打ちを同時にいれ、簡単に切り取れるようにする。切り取れる形を写真サイズにして写真と同じサイズのメッセージカードになるように。名刺サイズ、星型、ハート、円形など、いろいろなメッセージカードになるように目打ちする。
【産業上の利用可能性】
【０００９】
プレゼント用の包装紙。